(57)【要約】【課題】複数のフィンガーを用いた回転防止機構を有する拡張可能なコレット本体部を開示する。【解決手段】コレット本体部は、２点式回転防止手段（ＡＲＭ）の第１部分としての複数の把持フィンガーだけでなく、２点式並進抑制手段（ＴＡＭ）の第１部分（複数の部分で構成されても、１つであってもよい）も備える。ＴＡＭは、ワーク内でのコレット本体部の過度な並進を防止して、ワーク又は付属構造物にあるＴＡＭの第２部分と協働する。このように、ワーク又は付属構造物に嵌入されるコレット本体部は、嵌入又は最初の固定の間、ワークの裏側部分を越えて誤って押されない。【選択図】図１
2019510176.tif 000002
【特許請求の範囲】
【請求項１】
片側固定システムのコレット本体部であって、
長手方向の軸を規定し、ネジ付きの内面と、外面とを有する円筒壁部と、
前記円筒壁部から長手方向に延在し、１つ以上のスロットによって区切られる１本以上の把持フィンガーとを備え、
前記把持フィンガーはそれぞれ先端に突起部を有し、前記突起部は先端面及び後端面を備え、
１本以上の前記把持フィンガーは、半径方向に可撓性を有し、前記円筒壁部が規定する円形領域内で、前記把持フィンガーそれぞれの前記突起部は径方向内向きに収束する方向に傾いており、
前記把持フィンガーは、前記円筒壁部が規定する前記円形領域より外側に前記突起部を広げるために半径方向外向きに押されるときに、半径方向外向きに広がることを特徴とするコレット本体部。
【請求項２】
１本以上の前記把持フィンガーが、前記円筒壁部の円周に沿って均等に配置されることを特徴とする、請求項１記載のコレット本体部。
【請求項３】
前記先端面には、前記円筒壁部の外径と前記突起部の最大外径間の推移部として作用するために、傾斜又は斜角がつけられることを特徴とする、請求項１記載のコレット本体部。
【請求項４】
１本以上の前記把持フィンガーが半径方向外向きに広げられるときに、前記後端面が前記縦軸と直交することを特徴とする、請求項１記載のコレット本体部。
【請求項５】
１本以上の前記把持フィンガーが、径断面を有するフィンガー又は弦断面を有するフィンガーであることを特徴とする、請求項１記載のコレット本体部。
【請求項６】
片側固定システムであって、
前記片側固定システムは、２点式回転防止手段（ＡＲＭ）の第１部分として、円筒壁部及び１本以上の把持フィンガーを備えるコレット本体部を備え、
１本以上の前記把持フィンガーは、前記円筒壁部から長手方向に延在し、１つ以上のスロットによって区切られ、
前記コレット本体部は、長手方向の軸を規定し、ネジ付きの内面と、外面とを有し、
１本以上の前記把持フィンガーそれぞれは、２点式並進抑制手段（ＴＡＭ）の第１部分として先端に突起部を有し、
１本以上の前記把持フィンガーは、半径方向に可撓性を有し、半径方向内向きに収束する方向に傾き、
１本以上の前記把持フィンガーは、前記円筒壁部が規定する円形領域の外側に前記突起部を広げるために半径方向外向きに押されるときに、半径方向外向きに広がり、
前記片側固定システムは更に、前記コレット本体部の内面と合うネジ山を有するネジと、
前記２点式ＡＲＭの第２部分を有する付属構造物と、を備え、
前記第２部分は、前記ネジと前記コレット本体部とが近位ワーク、遠位ワーク、及び前記付属構造物に嵌入された際に、１本以上の前記把持フィンガーと相補的な放射形状を有し、
１本以上の前記把持フィンガーは、前記ネジ付き内面内での前記ネジの回転により押され、半径方向外向きに広がり、前記把持フィンガーと前記付属構造物の前記第２部分の間で回転押圧が加えられ、固定工程の間、前記コレット本体部の回転を抑制することを特徴とする、片側固定システム。
【請求項７】
請求項６に記載の片側固定システムは、更にスリーブインサートを備え、
前記スリーブインサートは、近位開口部と遠位開口部との間にボアを規定する円筒壁を備え、
前記スリーブインサートは、前記遠位開口部に、前記円筒壁から延在するフランジを更に備え、
前記スリーブインサートが確実に取り付けられるように、前記フランジは前記近位ワークに接着されることを特徴とする片側固定システム。
【請求項８】
請求項６記載の片側固定システムであって、
前記付属構造物は、近位開口部と遠位開口部の間にボアを規定する円筒壁を備えるスリーブインサートであり、
前記スリーブインサートは、前記近位ワークの近位ワーク孔内に配置され、
前記遠位開口部は、前記把持フィンガーの軸プロファイルに対して相補的に構成された軸プロファイルを有し、前記２点式ＡＲＭの第２部分として機能するように、前記スリーブインサートは前記遠位開口部で前記ボア内に配置された突起部を有することを特徴とする片側固定システム。
【請求項９】
前記スリーブインサートは、前記遠位開口部に、前記円筒壁から延在するフランジを更に備え、
前記フランジは、前記近位ワークと前記遠位ワークとの間に配置されることを特徴とする、請求項８記載の片側固定システム。
【請求項１０】
前記フランジは、前記スリーブインサートが確実に取り付けられるように、前記近位ワークに接着されることを特徴とする、請求項９記載の片側固定システム。
【請求項１１】
前記ネジのねじ頭が固定処理の後に、前記近位パネルと同じ高さとなるように、前記近位開口部は傾斜する開口部であることを特徴とする、請求項８記載の片側固定システム。
【請求項１２】
前記遠位ワークは、前記近位ワークと前記遠位ワークとを一緒に固定するために、１本以上の前記フィンガーそれぞれの突起部に係合するための、前記２点式ＴＡＭの第２部分として機能することを特徴とする、請求項８記載の片側固定システム。
【請求項１３】
請求項６の片側固定システムであって、
前記付属構造物は、近位孔を規定する近位脚部と、遠位孔を規定する遠位脚部とを有するＵ形状のクリップであり、
前記遠位脚部は、前記遠位孔が貫通する瘤部を有し、
前記瘤部は、一旦前記クリップが前記コレット本体部に係合すると、前記把持フィンガーそれぞれの突起部を押さえ込むために、前記２点式ＴＡＭの第２部分として機能する表面を有し、
前記遠位孔は、前記２点式ＡＲＭの第２部分としての部位を少なくとも有し、前記部位は、前記把持フィンガーと相補的な軸方向の形状を有することを特徴とする、片側固定システム。
【請求項１４】
請求項６記載の片側固定システムであって、
前記付属構造物は、近位孔を規定する近位脚部と、遠位孔を規定する遠位脚部を有するＵ形状のクリップを備え、
前記遠位脚部は、前記遠位孔が貫通する瘤部を有し、前記瘤部は溝を有し、
前記付属構造物は更に嵌入可能ブッシングを備え、
前記嵌入可能ブッシングは、内側ボアを有するブッシング壁と、前記溝内で前記嵌入可能ブッシングの回転を抑制するために溝と相補的なブッシングフランジとを備え、
前記内側ボアは、前記２点式ＡＲＭの第２部分として機能するために、１本以上の前記把持フィンガーに対して相補的に構成された軸プロファイルを有する部位を少なくとも有し、
前記ブッシングの壁は、前記２点式ＴＡＭの第２部分として機能することを特徴とする、片側固定システム。
【請求項１５】
請求項６記載の片側固定システムであって、
前記付属構造物は、近位孔を規定する近位脚部と遠位孔を規定する遠位脚部とを有するＵ形状のクリップを備え、
前記遠位脚部は、前記遠位孔が貫通する瘤部を有し、前記瘤部は溝を有し、
前記付属構造物は更に、ベースプレートと、ベースプレートから延在する複数のフランジを備える嵌入可能なプレートを備え、
前記フランジは、前記溝内で嵌入可能ブッシングの回転を抑制するために前記溝に対して相補的に構成された形状を成し
前記ベースプレートは、前記２点式ＡＲＭの第２部分として機能する１本以上の前記把持フィンガーと相補的な軸方向の形状を有する開口部を有し、前記ベースプレートは、前記２点式ＴＡＭの第２部分として機能することを特徴とする、片側固定システム。
【請求項１６】
請求項６記載の片側固定システムであって、
前記付属構造物は、近位孔を規定する近位脚部と、遠位孔を規定する遠位脚部とを有するＵ形状のクリップを備え、
前記遠位脚部は、前記２点式ＴＡＭの第２部分として機能し、
前記付属構造物は更に、近位開口部と遠位開口部との間でボアを規定する円筒壁を備えるスリーブインサートを備え、
前記スリーブインサートは、前記近位ワークの近位ワーク孔の中で配置され、確実に前記近位ワークに取り付けられており、
前記スリーブインサートは、前記２点式ＡＲＭの第２部分として機能するために、前記遠位開口部で前記ボアの中に配置される突起部を有することを特徴とする片側固定システム。
【請求項１７】
請求項６記載の片側固定システムであって、
１本以上の前記フィンガーそれぞれの先端にある前記突起部は、先端面及び後端面を備え、
１本以上の前記把持フィンガーが径方向外向きに広がるとき、前記後端面は前記長手方向の軸と直交することを特徴とする片側固定システム。
【請求項１８】
近位ワーク及び遠位ワークを固定する方法であって、
前記方法は、
ネジをコレット本体部に嵌入するステップを備え、
前記コレット本体部は、円筒壁部と、２点式回転防止手段（ＡＲＭ）の第１部分として１本以上の把持フィンガーとを含み、
１本以上の前記把持フィンガーは、前記円筒壁部から長手方向に延在し、
前記コレット本体部は長手方向の軸を規定し、前記ネジに合うネジ付き内面を有し、
１本以上の前記フィンガーそれぞれは、２点式並進抑制手段（ＴＡＭ）の第１部分としての先端に突起部を有し、
１本以上の前記把持フィンガーは、半径方向に可撓性を有し、径方向内向きに収束する方向に傾き、
前記方法は更に、スリーブインサートを前記近位ワークの近位ワーク孔に嵌入するステップを備え、
前記スリーブインサートは、近位開口部と遠位開口部との間にボアを規定する円筒壁を含み、
前記スリーブインサートは、前記遠位開口部で、前記円筒壁から延在するフランジを更に備え、
前記遠位開口部が、前記把持フィンガーの軸プロファイルに対して相補的に構成された軸プロファイルを有し、前記２点式ＡＲＭの前記第２部分として機能するように、前記スリーブインサートは、前記遠位開口部で、前記ボア内に配置される突起部を有し、
前記方法は更に、少なくとも前記スリーブインサートと、前記遠位ワークの遠位ワーク孔を介して前記ネジ及び前記コレット本体部の組合せを嵌入するステップと、
前記把持フィンガーそれぞれの突起部と一緒に前記遠位ワーク及び前記近位ワークを押さえ込むために、前記コレット本体部が長手方向に並進できるよう、前記コレット本体部内で前記ネジを回転させるステップと、を備え、
前記遠位ワークは、前記２点式ＴＡＭの第２部分として機能することを特徴とする、方法。
【請求項１９】
前記スリーブインサートを前記近位ワークに確実に取り付けるステップを更に備えることを特徴とする、請求項１８記載の方法。
【請求項２０】
前記スリーブインサートの前記フランジを前記近位ワークに接着することによって、前記スリーブインサートは、前記近位ワークに確実に取り付けられることを特徴とする、請求項１９記載の方法。
【発明の詳細な説明】
【技術分野】
【０００１】
（関連出願の相互参照）
この出願は、２０１６年２月２６日に出願された米国仮出願第６２／３００，４９１号（発明の名称「回転防止機構を備えるフィンガー式の拡張可能なコレット本体部、クリップ部、インサート部、及びそれらを含むシステム」）の、米国特許法第１１９条（ｅ）項における利点を請求する。そして、その全体が参照により本願明細書に組み込まれる。
【０００２】
本記載は広くはコレットに関し、より詳しくは、複数のフィンガーを用いた回転防止機構を備える拡張可能なコレット本体部に関する。
【背景技術】
【０００３】
従来は、片側締着具（ＳＳＦ）及び、特に拡張可能なコレットＳＳＦの分野においては、（コレット本体部とその他のパーツからなる）２点式回転防止手段の第１部分であるコレット本体部の外面部分を改良することに注力されていた。２点式回転防止手段の第２部分は、内在しているか又は付帯的に設けられるか、いずれの場合もありうるが、ハウジング、ワーク、又は中間部材（例えばスリーブインサート）のような付属構造物に関連する。
コレット本体部と付属構造物間ではネジが並進できるようにする一方で、ネジ又は回転によりコレット本体部の拡張を誘導する他の部材を用いて、回転して締結させる際に、これらの回転防止手段により、付属構造物に対してコレット本体部の回転が抑さえられる。加えて、並進防止手段は、コレット本体部固有の回転防止手段と同じ位置に配置されることがよくあった。
これらの機能がコレットの非分割型の本体部分（近位端部）又はその付近にあるという、配置問題の背後にある、考えられる理由は、できるだけフィンガーから遠くにコレット並進防止手段を設置することによって、コレット本体部の拡張が最大限に達成されるということであった。しかし、この構造は、コレット本体部の裏側で係合する態様の原因であった。
【発明の概要】
【発明が解決しようとする課題】
【０００４】
ワーク（ワークピース）又はスリーブインサートのような付属構造物が、コレット回転防止手段の対となるもの（すなわち、２点式回転防止手段の第２部分）を提供するために、変形しない限り、回転防止手段の第２部分として機能する何らかの属性を備えた丸い孔（より正確には、ボアを規定する円形シリンダのいずれかの部分）を設ける必要がある。
従来技術のコレット本体部がコレット本体部の外部面上の回転防止手段に、そして、好ましくはその近位端部の回転防止手段に依存したので、付属構造物にある回転防止手段の第２部分がコレット本体部の軸方向の全ストロークに亘って利用可能であることを確実にすることが必要であった。
このように、コレット本体部の従来技術システム及び使用は、補完的な回転防止構造を提供するために、コレット本体部が貫通する孔の特性に影響を与えることに依存していた。
【０００５】
したがって、貫通穴に依存しない安全な回転防止機構を備える拡張可能なコレット本体部を得ることが、要望されることがある。
【０００６】
以降では、基本的な理解を提供するために、本開示の簡略化した要旨について提示する。
本発明の要旨は、広範囲な概要の開示ではなく、そして、本発明の鍵となる／重要な要素を特定しないし、本発明の範囲を詳細に記述しない。
以降に示すさらに詳細な説明の前置きとして、簡略化された形で本明細書に開示される若干の概念を示すことのみを目的とする。
【課題を解決するための手段】
【０００７】
本出願の発明は、様々な拡張可能なコレット本体部、付属構造物（例えばクリップ及びスリーブインサート）、及びそれを用いたシステムを目的とする。当該コレット本体部は、２点式回転防止手段（ａｎｔｉ−ｒｏｔａｔｉｏｎａｌ  ｍｅａｎｓ）の第１部分（以下、具体的には「コレットＡＲＭ」、及び通常は「ＡＲＭ」）を有する把持フィンガーを備え、そして、好ましくは、実質的に調整可能であるか位置合わせ可能な開口部を規定する２つ以上のワークを片側で固定するために用いられる。
いくつかの実施例において、少なくとも１つのワークが２点式回転防止手段の第２部分（以下、具体的には「ワークＡＲＭ」）を備えるが、他の実施例では、２点式回転防止手段の第２部分（以下、具体的には「付属構造物ＡＲＭ」）を備える付属構造物が使用される。
また、部分的に構成されるＡＲＭを備えるコレット本体部を用いて、この種のワークを固定する方法が開示される。
用語「ｓｅｃｔｉｏｎａｌ（部分的な／一部分である／部分的に構成される）」について、そして、クレームされる発明の実施例に関するその機能は、以下に詳細に後述する。
【０００８】
本明細書において、用語「ｗｏｒｋ  ｐｉｅｃｅ（ワーク）」及びその複数形は、直接的又は間接的に、本発明のＳＳＦで、圧力をかけながら係合されるいかなる構造体も意味する。
このように、ワークは典型的な適用において取付具又は移動式の構造体を備え、そして、この取付具又は移動式の構造体は、他の取付具又は移動式の構造体に対して、圧力をかけながら接合される。実施例では、フロアトラック及びフロアパネルが含まれる。
本明細書で用いられる「Ａｕｘｉｌｉａｒｙ  ｓｔｒｕｃｔｕｒｅ（付属構造物、補助具）」及びその複数形は、ワーク構成に合体するために必要ではないが、ワークの接合から生じる望ましい機能以外の目的のために含まれるいかなる構造体も意味する。
このように、付属構造物はワーク間の圧縮接合を容易にし、強化し、又は最適化することができるが、その存在は、ワークを接合させるために、又はそれ以外の場合に機能させるのに必要とはされない。例えば、本明細書で明記されない限り、ワークによって、回転防止及び／又は並進防止手段が完全には可能にならないという事実により、この種の特徴を有する付属構造物を、ワーク又は他の必要な構造体と変換しない。実施例では、トラッククリップ及びパネルインサートが含まれる。
【０００９】
本明細書に用いられるように、用語「ａｒｅａ（域）」、「ｂｏｕｎｄａｒｙ（境界）」、「ｐａｒｔ（一部）」、「ｐｏｒｔｉｏｎ（部分）」、「ｓｕｒｆａｃｅ（表面）」、「ｚｏｎｅ（ゾーン）」、及び、これらの同義語ならびに複数形は、記載される対象に関して、記述的な参照又は目印を提供することを目的とする。
これらの用語は、参照される対象の要素自体の範囲を定めたり、定義することを意図しないし、推定するべきではないが、特にそのように記載されるか、又は前述の用語が使用されるいくつかの図面及び文脈から表面的に明らかである場合は除く。
加えて、いくつかの図面のいかなる数字の引き出し線の末端部も、いずれかのこの種の用語に関連するときも、記載される対象に対するこの種の参照又は目印を代表的に特定することを目的とする。
これらの用語は、参照される対象の要素自体の範囲を定めたり、定義することを意図しないし、推定するべきではないが、特にそのように記載されるか、又は前述の用語が使用される図面及び文脈から表面的に明らかである場合は除く。
【００１０】
２点式ＡＲＭの第１部分を備える各コレット本体部の把持フィンガーに加えて、この種のコレット本体部も、２点式並進抑制手段（ｔｒａｎｓｌａｔｉｏｎ  ａｒｒｅｓｔｉｎｇ  ｍｅａｎｓ）の第１部分（以下、具体的には「コレットＴＡＭ」、及び通常は「ＴＡＭ」）を備えるが、それは、部分であっても、そうでなくてもよい。このＴＡＭは、ワーク内でのコレット本体部の過度な並進を防止して、ワーク又は付属構造物にあるＴＡＭの第２部分と協動する。
このように、ワーク又は付属構造物に嵌入されるコレット本体部は、嵌入又は最初の固定の間、ワークの裏側を越えるよう、誤って押されない。
【００１１】
次に本発明によるコレット本体部の構造面については、好ましくは弾性金属又はポリマーから作られる各コレット本体部は、長手方向軸を規定し、そして、一般的に径方向に不連続な（開いている）開口部を規定する第１端部と、一般的に径方向に連続する（閉じている）円形開口部を規定する第２端部とを備える。
【００１２】
内面及び外面を有する第１壁部が第１端部を規定し、第１端部から延在する。
第１壁部は、第１端部から第２端部の方へ実質的に長手方向に延在する少なくとも２つのスロットを規定する。
好ましくは正反対の位置にある、少なくとも２つのスロットにより、少なくとも２本の把持フィンガー又は脚部が作られる。そして、前記把持フィンガー又は脚部は、好ましくは半径方向（動径方向）に可撓性を有する。
また換言すれば、各スロットは以下により、規定される。
第１の内側及び外側エッジに囲まれる、第１フィンガーの第１フィンガー面部を備える第１の長手方向コレットフィンガー部、
第２の内側及び外側エッジに囲まれる、第２フィンガーの第２フィンガー面部を備える第２の長手方向のコレットフィンガー部、及び
広がる内側及び外側エッジに囲まれる、第１フィンガーから第２フィンガーまで延在し、広がる面部分を備える横断方向のコレット本体部の部位（この広がる面部分はフィンガー規定スロットの長手方向の端部も規定する）。
本発明のコレット本体部は、好適には２本以上のフィンガーを有し、そして、数に関係なく、本体部に対して、好ましくは等距離で間隔を置く（均一の間隔）。
【００１３】
把持要素又は環状突起を特徴とする径方向に延在する部分（長手方向のスロットがあるので、見た目に分割される）は、第１端部に近接する第１壁部から径方向外向きに突出する。多くの実施例において、この突起部は、先端面（通常第１端部に向けられる）と、後端面（通常第２端部に向けられる）とを備える。
突起部の第１壁外径と最大外径と間での推移部（推進部）として作用するために、先端面は、好ましくは傾斜又は斜角をつけられる。後端面は、最適に係合されたときに、ワーク又は付属構造物の１つに対して圧力を加える作用を及ぼすために、コレット軸に対して、好適には実質的に直交する（又はわずかに傾斜する）。
【００１４】
内面及び外面を有する第２壁部が規定され、当該第２壁部は第２端部から延在する。
第２壁部分の特徴は、その内面が嵌入可能なネジ要素（例えばネジ付ボルト、ネジ及び／又はスタッド）と相補的であることを特徴とする１つ以上のネジ山を規定するということである。
好適には、ネジ山は、第２端部から、長手方向のスロットが終了する位置のすぐ近くまで実質的延びることによって、コレット本体部と嵌入されるネジ付要素（例えばネジ）との間の接触領域を最大にする。
【００１５】
添付の図面に関連して検討される以下の詳細な説明を参照することにより、多くの付随する特徴は、よりよく理解されるように、容易に推察される。
【００１６】
本明細書は、添付の図面と照らし合わせて読まれる以下の詳細な説明により、よりよく理解される。
【図面の簡単な説明】
【００１７】
【図１】拡張可能なコレット本体部の第１実施例である。
【図２】拡張可能なコレット本体部の第１実施例である。
【図３】拡張可能なコレット本体部の第１実施例である。
【図４】拡張可能なコレット本体部の第１実施例である。
【図５】拡張可能なコレット本体部の第１実施例である。
【図６】拡張可能なコレット本体部の第１実施例である。
【図７】拡張可能なコレット本体部の第１実施例である。
【図８】拡張可能なコレット本体部の第１実施例である。
【図９】拡張可能なコレット本体部の第２実施例である。
【図１０】拡張可能なコレット本体部の第２実施例である。
【図１１】拡張可能なコレット本体部の第２実施例である。
【図１２】拡張可能なコレット本体部の第２実施例である。
【図１３】拡張可能なコレット本体部の第２実施例である。
【図１４】拡張可能なコレット本体部の第２実施例である。
【図１５】拡張可能なコレット本体部の第２実施例である。
【図１６】拡張可能なコレット本体部の第２実施例である。
【図１７】クリップの第１実施例である。
【図１８】クリップの第１実施例である。
【図１９】クリップの第１実施例である。
【図２０】クリップの第１実施例である。
【図２１】クリップの第１実施例である。
【図２２】クリップの第１実施例である。
【図２３】クリップの第１実施例である。
【図２４】図１―８に示されるコレット本体部と、図１７―２３に示されるクリップと、パネル（上部又は近位構造体）及び土台（底部又は遠位構造体）を一緒に押さえ込むネジと、を備える固定システムの第１システム実施例である。
【図２５】図１―８に示されるコレット本体部と、図１７―２３に示されるクリップと、パネル（上部又は近位構造体）及び土台（底部又は遠位構造体）を一緒に押さえ込むネジと、を備える固定システムの第１システム実施例である。
【図２６】完全に固定された状態の、図２４―２５に示される固定システムの断面図である。
【図２７】完全に固定された状態の、図２４―２５に示される固定システムの断面図である。
【図２８】完全に固定された状態の、図２４―２５に示される固定システムの断面図である。
【図２９】第１システム実施例に示されるコレット本体部と、クリップと、ネジとを備え、そして、上方パネルと土台を一緒に押さえ込むために、上方パネルが規定するボアに配置されるスリーブインサートを更に備える固定システムの第２実施例である。
【図３０】第１システム実施例で示すコレット本体部と、クリップと、ネジとを備え、そして、上方パネルと土台を一緒に押さえ込むための上方パネルにあるボアに配置されるスリーブインサートを更に備える固定システムの第２実施例である。
【図３１】第１システム実施例で示すコレット本体部と、クリップと、ネジとを備え、そして、上方パネルと土台を一緒に押さえ込むための上方パネルにあるボアに配置されるスリーブインサートを更に備える固定システムの第２実施例である。
【図３２】係合されているが固定されていない状態の、図２９―３１に示される固定システムの第２実施例の断面図である。
【図３３】係合されているが固定されていない状態の図２９―３１に示される固定システムの第２実施例の断面図である。
【図３４】完全に固定された状態の図２９―３１に示される固定システムの第２実施例の断面図である。
【図３５】完全に固定された状態の図２９―３１に示される固定システムの第２実施例の断面図である。
【図３６】２点式ＡＲＭの第２部分及び２点式ＴＡＭの第２部分として機能するためのクリップの一部分により回転が抑制される、嵌入可能なブッシングを備えるクリップの第２実施例である。
【図３７】２点式ＡＲＭの第２部分及び２点式ＴＡＭの第２部分として機能するためのクリップの１部分によって回転が抑制される、嵌入可能なブッシングを備えるクリップの第２実施例である。
【図３８】２点式ＡＲＭの第２部分及び２点式ＴＡＭの第２部分として機能するためのクリップの１部分によって回転が抑制される、嵌入可能なブッシングを備えるクリップの第２実施例である。
【図３９】２点式ＡＲＭの第２部分及び２点式ＴＡＭの第２部分として機能するためのクリップの１部分によって回転が抑制される、嵌入可能なブッシングを備えるクリップの第２実施例である。
【図４０】２点式ＡＲＭの第２部分及び２点式ＴＡＭの第２部分として機能するためのクリップの１部分によって回転が抑制される、嵌入可能なブッシングを備えるクリップの第２実施例である。
【図４１】コレット本体部と、図３６―４０に示されるクリップの第２実施例と、ネジとを備える固定システムの第３システム実施例である。
【図４２】コレット本体部と、図３６―４０に示されるクリップの第２実施例と、ネジとを備える固定システムの第３システム実施例である。
【図４３】コレット本体部と、図３６―４０に示されるクリップの第２実施例と、ネジとを備える固定システムの第３システム実施例である。
【図４４】コレット本体部と、図３６―４０に示されるクリップの第２実施例と、ネジとを備える固定システムの第３システム実施例である。
【図４５】スリーブを備えるクリップの第３実施例である。そして、プライマリ嵌入可能ブッシングは、第２の嵌入可能ブッシングに配置される。
【図４６】スリーブを備えるクリップの第３実施例である。そして、プライマリ嵌入可能ブッシングは、第２の嵌入可能ブッシングに配置される。
【図４７】スリーブを備えるクリップの第３実施例である。そして、プライマリ嵌入可能ブッシングは、第２の嵌入可能ブッシングに配置される。
【図４８】スリーブを備えるクリップの第３実施例である。そして、プライマリ嵌入可能ブッシングは、第２の嵌入可能ブッシングに配置される。
【図４９】スリーブを備えるクリップの第３実施例である。そして、プライマリ嵌入可能ブッシングは、第２の嵌入可能ブッシングに配置される。
【図５０】スリーブを備えるクリップの第３実施例である。そして、プライマリ嵌入可能ブッシングは、第２の嵌入可能ブッシングに配置される。
【図５１】コレット本体部と、図４５―５０に示されるクリップの第３実施例と、ネジとを備える固定システムの第４システム実施例である。
【図５２】コレット本体部と、図４５―５０に示されるクリップの第３実施例と、ネジとを備える固定システムの第４システム実施例である。
【図５３】コレット本体部と、図４５―５０に示されるクリップの第３実施例と、ネジとを備える固定システムの第４システム実施例である。
【図５４】コレット本体部と、図４５―５０に示されるクリップの第３実施例と、ネジとを備える固定システムの第４システム実施例である。
【図５５】２点式ＡＲＭの第２部分及び２点式ＴＡＭの第２部分として機能するための嵌入可能なプレートを備えるクリップの第４実施例である。
【図５６】２点式ＡＲＭの第２部分及び２点式ＴＡＭの第２部分として機能するための嵌入可能なプレートを備えるクリップの第４実施例である。
【図５７】２点式ＡＲＭの第２部分及び２点式ＴＡＭの第２部分として機能するための嵌入可能なプレートを備えるクリップの第４実施例である。
【図５８】コレット本体部と、図５５―５７に示されるクリップの第４実施例と、ネジとを備える固定システムの第５のシステム実施例である。
【図５９】コレット本体部と、図５５―５７に示されるクリップの第４実施例と、ネジとを備える固定システムの第５システム実施例である。
【図６０】コレット本体部と、図５５―５７に示されるクリップの第４実施例と、ネジとを備える固定システムの第５システム実施例である。
【図６１】コレット本体部と、図５５―５７に示されるクリップの第４実施例と、ネジとを備える固定システムの第５システム実施例である。
【図６２】近位構造体及び遠位構造体を含む積層構造（破線で示される）を固定するための、ネジと、図１に示されるコレット本体部と、クリップと、スリーブインサートと、を備える固定システムの第６システム実施例である。
【図６３】近位構造体及び遠位構造体を含む積層構造（破線で示される）を固定するための、ネジと、図１に示されるコレット本体部と、クリップと、スリーブインサートと、を備える固定システムの第６システム実施例である。
【図６４】近位構造体及び遠位構造体を含む積層構造（破線で示される）を固定するための、ネジと、図１に示されるコレット本体部と、クリップと、スリーブインサートと、を備える固定システムの第６システム実施例である。
【図６５】近位構造体及び遠位構造体を含む積層構造（破線で示される）を固定するための、ネジと、図１に示されるコレット本体部と、クリップと、スリーブインサートと、を備える固定システムの第６システム実施例である。
【図６６】近位構造体及び遠位構造体を含む積層構造（破線で示される）を固定するための、ネジと、図１に示されるコレット本体部と、クリップと、スリーブインサートと、を備える固定システムの第６システム実施例である。
【図６７】完全に固定された状態の図６２―６６に示される固定システムの異なる角度における断面図である。
【図６８】完全に固定された状態の図６２―６６に示される固定システムの異なる角度における断面図である。
【図６９】近位構造体及び遠位構造体を含む積層構造（破線で示される）を固定するための、ネジと、図１―８に示されるコレット本体部と、スリーブインサートと、を備える固定システムの第７のシステム実施例である。
【図７０】近位構造体及び遠位構造体を含む積層構造（破線で示される）を固定するための、ネジと、図１―８に示されるコレット本体部と、スリーブインサートと、を備える固定システムの第７のシステム実施例である。
【図７１】近位構造体及び遠位構造体を含む積み重ね積層構造（破線で示される）を固定するための、ネジと、図１―８に示されるコレット本体部と、スリーブインサートと、を備える固定システムの第７のシステム実施例である。
【図７２】近位構造体及び遠位構造体を含む積層構造（破線で示される）を固定するための、ネジと、図１―８に示されるコレット本体部と、スリーブインサートと、を備える固定システムの第７のシステム実施例である。
【図７３】コレット本体部及びネジの組合せの、嵌入開始時及び完全に嵌入された時点の、図６９―７２に示されるシステムの断面図である。
【図７４】コレット本体部及びネジの組合せの、嵌入開始時及び完全に嵌入された時点の、図６９―７２に示されるシステムの断面図である。
【図７５】コレット本体部及びネジの組合せの、嵌入開始時及び完全に嵌入された時点の、図６９―７２に示されるシステムの断面図である。
【図７６】完全に嵌入された後の、最初の固定状態における、図６９―７２に示されるシステムの断面図である。
【図７７】完全な固定された状態における、図６７―６８に示されるシステムの横断面である。
【発明を実施するための形態】
【００１８】
添付の図面の同様のパーツを示すために、同様の参照番号が用いられる。
添付の図面を参照して以降で設けられる詳細な説明は、本実施例を説明することを意図しており、本実施例が構成又は利用され得る唯一の形態を表すことを意図しない。詳細な説明では、実施例の特徴と、実施例を構成し実施例の効果を表わすための一連のステップとについて記載する。しかし、同一或いは類似する特徴と一連のステップとは、異なる実施例によっても達成され得る。
【００１９】
下記の実施例では、兼用（２つの機能を兼ねる）ラッチについて記載する。
本実施例は、航空機システムで実施されるように本願明細書で図を参照し説明されるが、記載されるシステムは単なる例であり、限定する目的で設けられていない。当業者に公知であるように、本実施例は、ラッチを有する様々な異なるタイプのパネルシステムの応用に適している。
【００２０】
従来技術に関連し上述した様に、コレット本体部の回転防止手段（ＡＲＭ）はコレット本体部の表面上に特徴があったため、従来のコレットＡＲＭには、コレット本体部が並進するボア又は孔の中に、何らかの形状の補完的なＡＲＭが必要であった。言い換えれば、コレットＡＲＭ及びそのワーク／付属構造物の相対物の両方が、円形であった。
【００２１】
しかし本発明にかかるコレット本体部の実施例は、概して、限定的ではないが、横断面に示されるように、円形の外側面（断面における周囲の）面、すなわち一定の半径を有するか、もしくは第２の壁部分がワーク及び／又は付属構造物ＡＲＭと相互作用しない表面／断面形状を有することを特徴とする。
または、この種の端部及び／又は本体部には、（第２の壁の外側又は周囲面から突出又は伸びる）コレット本体部の外側の、機能的な回転防止機構はないという特徴がある。
図１―８は、拡張可能なコレット本体部１００の第１実施例である。
具体的には、図１はコレット本体部の斜視図であり、図２はコレット本体部の第１の側面図であり、図３はコレット本体部の第２の側面図であり、図４はコレット本体部の底面図であり、図５はコレット本体部の第３の側面図であり、図６はコレット本体部の第２の底面図であり、図７は径断面を有するフィンガー（ｒａｄｉａｌ  ｃｕｔ  ｆｉｎｇｅｒ：半径による断面を有するフィンガー）（すなわち脚部断面とコレット本体部半径とが同じ平面にある（合致する））を備えたフィンガーの単独断面図であり、図８は弦断面（ｃｈｏｒｄ  ｃｕｔ  ｆａｃｅ：円弧の弦による断面）を有するフィンガーの単独断面図である。
【００２２】
コレット本体部は、内面１１２及び外面１１４を有する円筒壁部１１０を備える。
円筒壁部１００は、第１端部から第２端部へ向かって実質的に長手方向に延在する少なくとも２つのスロット（溝）を規定する。
好ましくは円周上の正反対の位置（直径に沿った対置の関係）にある、少なくとも２つのスロットにより、少なくとも２本の把持フィンガー又は脚部１２０が作られる。そして、前記把持フィンガー又は脚部は、好ましくは半径方向に可撓性を有する。
また、各スロットは以下により規定される。
第１の内側及び外側エッジに囲まれる、第１フィンガーの第１フィンガー面部を備える第１の長手方向コレットフィンガー部、
第２の内側及び外側エッジに囲まれる、第２フィンガーの第２フィンガー面部を備える第２の長手方向のコレットフィンガー部、及び
広がる内側及び外側エッジに囲まれる、第１フィンガーから第２フィンガーまで延在し広がる面部分を備える横断方向のコレット本体部の部位（この広がる面部分はフィンガーを規定するスロットの長手方向の端部も規定する）。
本発明のコレット本体部は、２本以上のフィンガーを好ましくは有し、そして、数に関係なく、本体部に対して、好ましくは等距離で間隔を置く（均一の間隔）。
【００２３】
フィンガー１２０はそれぞれ、指先（又はフィンガーの遠位端部）の把持要素又は環状の突起部１２２（長手方向のスロットがあるので、見た目に分割される）を特徴とする径方向に延在する部分を備える。
多くの実施例において、この突起部１２２は、先端面１２３（通常第１端部に向けられる）と、後端面１２４（通常第２端部に向けられる）とを備える。
突起部の第１壁外径と最大外径１２５と間の推移部として作用するために、先端面は、好ましくは傾斜又は斜角をつけられる。後端面は、最適に係合されるときに、ワーク又は付属構造物の１つに対して圧力を加える作用を及ぼすので、コレット軸に対して、好適には、実質的に直交する（又はわずかに傾斜する）。
【００２４】
円筒壁部の内面１１４は、嵌入可能なネジ要素（例えばネジ付ボルト、ネジ及び／又はスタッド）に嵌合する１つ以上のネジ山を有する。
好適には、ネジ山は、第２端部から、長手方向のスロットが終了する位置のすぐ近くまで実質的に延びることによって、コレット本体部と嵌入されるネジ付要素（例えばネジ）との間の接触領域を最大にする。
【００２５】
把持フィンガー１２０は、半径方向に好ましくは可撓性を有する。
初期状態では、突起部１２２全体が、円筒壁部が規定する円形領域内に収まるように、把持フィンガー１２０はわずかに径方向内向きに集まる（収束する方向に傾く）。
外部のネジ付きボルトにより、半径方向外向きに押されると（図６）、把持フィンガー１２０は半径方向外向きに広がり、突起部１２２全体が円筒壁部によって規定される円の外側に押し広げられる。
【００２６】
図９―１６は、様々な外観を有する拡張可能なコレット本体部の第２実施例である。第２実施例では、２本の把持フィンガーの代わりに３本の把持フィンガーを有する点を除き、コレット本体部の第１実施例と基本的に同様である。
具体的には、図９は３本のフィンガーを有するコレット本体部の斜視図であり、図１０は押し広げられた（すなわち拡張状態にある）コレット本体部の第２の斜視図であり、図１１はコレット本体部の側面図であり、図１２はコレット本体部の底面図であり、図１３は押し広げられた状態のコレット本体部の第２の側面図であり、図１４は押し広げられた状態のコレット本体部の第２の底面図であり、図１５はフィンガーを２本とする例と対照的に、フィンガーを１本使用するコレット本体部の変形例を示す第１の斜視図であり、図１６は変形例として図１５に示すコレット本体部において、コレットフィンガーが押し広げられた状態を示す第２の斜視図である。
【００２７】
図１―１６に示される例示的な実施形態を参照して、当業者は、他の構成の拡張可能なコレット本体部も利用できると理解することができる。例えば、４本以上の把持フィンガーを使用してもよい。把持フィンガーの幅は、同一であっても異なっていてもよい。把持フィンガーは、円筒壁部の円周に沿って、一様に又は非一様に割り振られる。
【００２８】
図１―１６に示されるコレット本体部は、１本以上のコレットフィンガーに設けられる、少なくとも１つのコレットＡＲＭ（２点式（２つの部品からなる）ＡＲＭのうちの第１の部分）を備える。
特には、そして、第２端部の、外側面の幾何特性又は外周の断面形状がコレットＡＲＭを含む構造を備える従来技術とは異なり、本発明のコレットＡＲＭは、フィンガーの部分的な面の少なくとも一部を構成する。
この種の構造体の主要な機能的要件は、それが少なくとも１つのワーク／付属構造物の中でコレット本体部が並進する間、２点式ＡＲＭの第２部分に接触（対面）できるということであり、このおかげで、例えば、固定動作間に生じる回転力を受けるときに、コレット本体部の回転は実質的に抑えられる。
【００２９】
特定の発明実施例において、コレット本体部の第１壁部から円弧となる部分を取り除くことによって、スロット及びコレットＡＲＭ（ならびにコレットフィンガー）を形成することができる（又はその幾何学的形状を可視化する）。
図７に示すように、これらの実施例（以降「円弧実施例」と称する）では、コレット本体部の半径は、各長手方向のフィンガーで構成される面部分の平面内にある。
コレット本体部と、ネジと、ワーク又は付属構造体とを備えるシステムが動作する間、ＡＲＭの第２部分（ワーク又は付属構造物）が、フィンガーの部分的な面を押圧して接触する少なくとも１つの突起要素を含む場合、コレット本体部の軸周りの回転は抑えられ得る。
スロット（又は対応するフィンガー）の周方向幅（円弧）は、取り除かれた材料の幅（例えば切り溝）で測定される。
当業者は、これらの特徴を備えるよう、まず最初にコレット本体部を形成することもでき、そして、記載された構成を構築する方法は排他的でないと理解するだろう。
【００３０】
特定の他の発明実施例において、コレット本体部の第１壁部の軸外の弦部分を取り除くことによって、スロット及びコレットＡＲＭ（ならびにコレットフィンガー）を形成することができる（又はその幾何学的形状を可視化する）。
これらの実施例（以降、図８にあるような「弦実施例」と称する）において、第１スロットの一方を規定する１つのフィンガーで構成される面から、第１スロットのもう一方を規定する、対向するフィンガーで構成される面への仮想の線は、コレット本体部の軸からの半径方向の距離が、同じ箇所のコレット本体部の内壁面の半径より短い。
スロット（又は対応するフィンガー）の周方向幅（円弧）は、取り除かれた材料の円弧の弦の深さ（コレット軸からの距離）で決定される。
当業者は、これらの特徴を備えるよう、まず最初にコレット本体部を形成することもでき、そして、記載された構成を構築する方法が排他的でないと理解するだろう。
【００３１】
図１７―７７に示される本開示は、ＡＲＭの第２部分として導入される様々なクリップ及び／又はインサートに関する。
コレット本体部と、ネジと、ワーク又は補助構造体とを備えるシステムが作用する際には、ＡＲＭの第２部分（ワーク又は付属構造物）が、少なくとも１つの（フィンガーで構成される面部分を押圧して接触する）フラットキーのような構造又はこれに類似するような、すなわち第１部分の形状に相補的に嵌合する構造を具備する場合、弦実施例のコレット軸の回転は抑制され得る。
実質的に嵌合する構造であることが好適ではあるが、当業者ならば、回転防止手段の第１及び第２部分間の回転を干渉するいかなる物質でも、当部品の上記機能要件を満たすのに十分であると理解するだろう。
【００３２】
ＡＲＭのこれらの形状に対する利点は、この形状が、高いトルク荷重に非常に耐性があるということである。
従来技術のコレットＡＲＭは、トルクにより課される荷重に抵抗するために、周面の幾何学的形状（第２端部及び／又は隣接する本体部の外面から延在又はそこに従属する特性）に依存していた。全荷重がコレット本体部に加えられ、高いトルクによってコレットＡＲＭが変形する可能性に対処できなかった。
しかし、円弧及び弦コレットＡＲＭの実施例では、作用を及ぼす力は、押圧に対する相当の抵抗力を備えたコレット本体部の部位に伝達される。
【００３３】
回転ねじ付き部材（例えばネジ）によりトルクが生じるとき、コレット本体部に対して反回転力を確立及び維持するために、ツール（治具）又は一時的なメカニカルグラウンド（機械的土台）を使用する外的環境とは対照的に、本発明実施例はもっぱら固有の回転防止環境を目的とするものであり、コレット本体部以外の機械的に固定する構造体は、２点式ＡＲＭの第２部分を備えなければならないことは明白である。そして、２点式ＡＲＭの第２部分については、少なくとも１つのワーク又は少なくとも１つの付属構造物（ワーク及び／又は付属構造物ＡＲＭ）が実行可能な候補となる。
いずれにせよ、意図された使用モード、すなわち、フルストローク並進（全ストロークでの移動）の間、コレット本体部が、２点式ＡＲＭの第２部分を、機能的に利用できなければならない。さらに、特定のコレットＡＲＭが作用を及ぼすことができる少なくとも１つの構造例を提供する構造体を備えなければならない。そのため、ワーク及び／又は付属構造物は、２点式ＡＲＭの少なくとも１つの第２部分を備える。
加えて、コレットＡＲＭはコレット本体部の第１壁部の一部分であり、したがって、事実上第２端部又は近位端部に近接するのではないので、例えば、オーバーストロークが発生する（すなわち、コレットフィンガー／脚部の嵌入及び固定の際に、遠位ワーク／付属構造物を過ぎる）ようなことがあった場合、最も遠位にあるワークの遠位又は外側面で、又はその近くに、ＡＲＭの第２部分を配置することが重要となる。
このように、コレット本体部の最大長は、最も近位にあるワークから最も遠位にあるワーク及び／又は付属構造物まで延在し、回転運動を制限することができる。
しかしながら、最も遠位にあるワークが、ＡＲＭを遠位に配置する近位側にあるワークと比べて部分的に薄い場合は、最も遠位に位置する重要性は低下する。
【００３４】
ワーク及び／又は付属構造物にある第２部分ＡＲＭは、好適には、第１部分のＡＲＭにおけるコレット本体部の軸プロファイルに対して、それぞれのＡＲＭ部が他のＡＲＭ部に相補的に嵌合するように構成された少なくとも１つの軸プロファイルを有している。（これはスプラインカラーがスプラインシャフトに相補的に嵌まり合うのと同様である）。
少なくとも、第２部分ＡＲＭとして機能する作用を及ぼす面が少なくとも１つなければならない。
多くの実施例において、この第２部分ＡＲＭは、半径方向内向きに突出する円弧（コレット本体部のスロットが、取り除かれた円弧の形状で特徴付けられる場合に特に適用可能）か、突出する平面である（コレット本体部のスロットが、取り除かれた弦の形状で特徴付けられる場合に特に適用可能）。
これらの実施例では、第２部分ＡＲＭを備えるワーク／付属構造物の内部でコレット本体部が回転される際に、突出する円弧状又は平らな面が、少なくとも１本のフィンガーで構成される面部分の一部分に、押圧して接触する。
【００３５】
いくつかの実施例において、ワークは、ＡＲＭの第２部分として機能する少なくとも１つの構造的属性を備えるだろう。すなわち、ワークは、コレット本体部が配置され回転を受ける時、両者間の回転を抑制するために、コレットＡＲＭはワークＡＲＭと係合する構成要素又は部位を備える。
コレット本体部が少なくとも２つのワークと圧迫接触するときに、コレット本体部の第１部分ＡＲＭに直面する軸方向の位置にこのワークＡＲＭが位置すればよいが、多くの状況において、第２部分は、遠位「外側」ワークの外面（すなわち、コレット本体部の第２端部でなくコレット本体部の第１端部が延在する孔を規定する表面）に、又はそれに隣接して位置する。
【００３６】
第２部分ＡＲＭとして適切な少なくとも１つの構造的特徴を備える１つ以上のワークに加えて、特定の発明実施例は、例えばクリップ又はワークインサートといった付属構造物の組み込みについて考察し、そして、第２部分ＡＲＭを有し、コレット本体部を備える組立体が完全に固定された状態にあるときに、ねじ頭によって加えられた押圧力に対する作用を及ぼす構造体として機能する。本発明の付属構造物ＡＲＭは、幾何学的に異なり、且つ機能的に別のものである。
様々な発明実施例のインサートは、固有の第２部分ＡＲＭを有するワークの機能を模倣する。換言すれば、この種のインサートは、第２部分ＡＲＭを備えるコレット本体部のための内部ボアの幾何学的形状を確定する。
このようにして、丸いボア又は孔は、この種のインサートの嵌入によって第２部分ＡＲＭを備えるよう修正が可能である。
【００３７】
図１７―２３は、クリップ３００の第１実施例における様々な図である。
具体的には、図１７は、ＡＲＭの第２部分として機能する第１のクリップの第１の斜視図であり、図１８はクリップの第２の斜視図であり、図１９はクリップの立面図であり、図２０はクリップの上面図であり、図２１はクリップの底面図であり、図２２は、実質的に図１９の線Ｆ―Ｆに沿った横断面の平面図であり、図２３は土台（破線部）に係合するクリップの横断面の立面図である。
【００３８】
クリップ３００は、近位孔３１２を規定する近位脚部３１０と、近位孔３１２に位置合わせされた遠位孔３２２を規定する遠位脚部３２０と、近位脚部３１０と遠位脚部３２０とをつなぐ中間の脚部３３０とを有する「Ｕ」形のクリップである。
これらの孔は、コレット本体部が嵌入されるボア又は孔の内部面の幾何学的形状を必ずしも修正する必要はないが、但し、この種の修正は本発明の範囲に含まれる。また、第２部分ＡＲＭは、通常、ワークのボア又は孔の外部に配置され、遠位孔でクリップの機能部を形成し、少なくとも１つのワークに、そして好ましくは遠位ワークに回転可能に設置される。
【００３９】
いくつかの実施例において、遠位脚部３２０は、遠位孔３２２が貫通する瘤部３４０を有する。瘤部３４０は表面３４２を有し、好適には平面であるか、又は反対方向に傾いており、一旦クリップ３００がコレット本体部に係合されると、後端面１２４を押さえ込むよう用いることができる。
遠位孔３２２は、第１部分のＡＲＭにおけるコレット本体部の軸プロファイルに対して、それぞれのＡＲＭ部が他のＡＲＭ部に相補的に嵌合するように構成された少なくとも１つの軸プロファイルを有する部位を少なくとも有する。（これはスプラインカラーがスプラインシャフトに相補的に嵌まり合うのと同様である）。
いくつかの実施例において、軸プロファイルは、遠位孔開口部の近くに遠位孔３２４内に隆起（バルジ）３２４を組み込むことによって、実現してもよい。クリップ３００とコレット本体部１００とが係合するときに、隆起３２４がちょうど把持フィンガー間のスロットに配置されるように、隆起３２４はコレットフィンガーを補完する。
【００４０】
図２４―２５は、図１―８に示されるコレット本体部と、図１７―２３に示されるクリップと、パネル（上部又は近位構造体）及び土台（底部又は遠位構造体）を一緒に押さえ込むネジとを備える固定システムの第１のシステム実施例である。
具体的には、図２４は上部分解斜視図であり、そして、図２５は、クリップを介して完全に延在し、係合状態にあるコレット本体部及びネジが示される図２４に示されるシステムの下部斜視図と詳細である。図２６―２６は、完全に固定された状態の図２４―２５に示される固定システムの断面図である。
【００４１】
使用状態では、コレッ本体部ト１００は、近位ワークボア４０３を介して近位ワーク４０２に、遠位ワークボア４０５を介して遠位ワーク４０４に、そして付属構造物３００に嵌入される。
コレットフィンガーが収束するよう傾き、コレット本体部が、このように規定されるいかなる孔及び／又は開口部も通過できるようになる。嵌入の後、ネジ又は類似の孔を塞ぐ構造物４１０は、コレット本体部１００の中に回転可能に嵌入される。ネジ４１０は、コレット本体部１００の内部面に合致する（噛合する）ネジ山を有する。
従って、ネジ４１０がコレット本体部１００に徐々に係合すると、半径方向外側方向に把持フィンガー１２０を押し広げ、それにより、好ましくはフィンガーが半径方向に十分広がり、それらが付属構造物ＡＲＭに接触するか少なくとも近接するようになる。いかなる状況においても、放射状の広がりの程度は、コレットＡＲＭと付属構造物ＡＲＭの間で、回転押圧（ｒｏｔａｔｉｏｎａｌ  ｃｏｍｐｒｅｓｓｉｏｎ：回転しながら加わる圧力）がかかるように十分でなければならない。
いくつかの実施例において、ネジ４１０は、例えばプラス又はマイナスドライバのような、外部のドライバの係合のために、溝を有する平頭４１２を備える。ネジ４１０が更に回転すると、コレットＡＲＭと付属構造物ＡＲＭ間の回転の制限のため、コレット本体部が回転できないので、コレット本体部１００は上昇を始める（又は、ワークの方へ後退を始める）。把持フィンガーの後退により、最終的に後端面１２４と表面３４２との間で接触及び押圧力が生じ、従って、確実にワーク４０２と４０４とが一緒に固定される。好ましくは、ネジ４１０が、完全に固定された状態でワーク４０２と同一平面上になるように、ネジ４１０は平頭４１２を有する。
【００４２】
適切なワークで、この種の構造体を欠いていたり、及び／又はインサートが望まれないか可能でない場合、第２部分ＡＲＭを外部のクリップに取り入れることは有利である。
コレット本体部の第２端部又は近位端部、又はその近くで作用する従来技術の付属構造物回転防止手段と異なり、クリップ３００は、完全に固定されているコレット本体部１００の第１端部又は遠位端部、又はその近くで、例えば、少なくとも１つのコレットフィンガー表面に沿って作用する。
これは、十分に固定され、コレット本体部が少なくとも１つのワークと引張モードで完全に係合されると、コレット本体部の第１端部又は遠位端部だけが、クリップが位置する空間に露出されるからである。
付属構造物ＡＲＭがスリーブインサートである場合、回転防止機構は、その軸に沿ってならどこに位置しても良い。しかし、クリップは大部分が外部構造体であるので、第２の回転防止手段は、コレット本体部のフィンガーの末端部分が最後に通過するボアを規定する開口部か、又はその近くに好ましくは位置する。この位置にあるおかげで、コレット本体部の取付け及び使用の際、確実にＡＲＭの２つの部分は相互に作用する。
【００４３】
前述した他に、本発明のコレット本体部の実施例は、ワークを介してコレット本体部の完全な移動を制限するための２点式並進防止手段の第１部分を更に備えることができる。
本発明の２点式並進抑制手段は、コレット本体部に付随する機構（第１部分）と、ワーク又は付属構造物の少なくとも１つに付随する協働機構（第２部分）とを備える。
実施例の１つのグループでは、（各スロットの第３のエッジ及び／又は表面を形成する）コレット本体部の横断する部分は、コレット本体部の第１端部又は遠位端部に適切に向かう面を含む。この面は通常、コレット本体部の外部面へ延在する。この幾何学的形状のおかげでこの位置の半径方向平面に沿ったコレット本体部の部分の幾何学的外形は、通常円形であり、そして、脚部を備える第１の壁に沿った位置の半径方向平面に沿ったコレット本体部の部分の幾何学的外形とは異なる。
このように、少なくともコレット本体部の第１端部／遠位端部が通過する非円形の断面を有するいかなる開口部又はボアも、２点式並進防止手段の第２部分の少なくとも一部を必然的に含む。あるいは、付属構造物ＡＲＭは、付属構造物ＴＡＭとして機能することもできると言える。しかし、回転防止手段の場合のように、横の力を受けるために横に（又は接線方向に）露出する作用面の代わりに、並進防止手段のための長手方向の（または軸方向の）力を受ける作用面として、軸方向にある付属構造物ＴＡＭの表面が使用される。
【００４４】
付属構造物がＴＡＭ部品を備える前述の実施形態では、手段全てを適切に機能させるために、コレット本体部は補完的な構造体を備えなくてはならない。
この種のコレットＴＡＭは、先に述べた３枚目の壁を備えることができ、その壁により、フィンガー間にスロットが規定されるか（「内部のコレットＴＡＭ」）、又は他の一連の実施例では、最大直径を有するコレット本体部の一部を備えるように、コレット本体部から延在するＴＡＭの第１部分（「外部のコレットＴＡＭ」）を有する。
後の実施例は、コレット本体部と一体化されるか若しくは追加されるかどうかに関わらず、ブッシング又は、他の連続もしくは分割された半径方向突起部を備えるコレット本体部を含み、そのブッシング又は突起部は、コレット本体部の表面の直径を越えて延在する。
【００４５】
クリップは、ＡＲＭの第２部分及び／又はＴＡＭの第２部分を構成する少なくとも１つの作用面をコレット本体部に提供し、そして、そのクリップを備える本発明の実施例は、少なくともＡＲＭ（「クリップＡＲＭ」）の第２部分と、好ましくはＴＡＭ（「クリップＴＡＭ」）の第２部分とを有するコレット本体保持部（受け部）を備える遠位脚部を含む。
加えて各クリップは、結合される近位脚部、又は、下部ＡＲＭ部から延在する近位脚部を更に備え、その間に、少なくとも１つのワークを配置することができる。
クリップの遠位及び近位脚部はそれぞれ、通常補完的であるコレット本体部が少なくとも部分的に通過できるボアを規定する。（好ましはコレット本体部は、近位脚部により規定される孔を完全に通過し、そして、遠位脚部により規定される孔を実質的に通過する。）
【００４６】
クリップＡＲＭ及び／又はクリップＴＡＭを備えるクリップの部分は、クリップと一体化してもよい（「一体化したクリップＡＲＭ」または「一体化したクリップＴＡＭ」）。あるいは、クリップと組み合わせられる別個の部品として構成し、ＳＳＦシステムの特定の要素を持たせるようにしてもよい（「ＡＲＭクリップ部材（部品としてのクリップＡＲＭ）」又は「ＴＡＭクリップ部材（部品としてのクリップＴＡＭ）」）。
そのために部品の構造では、遠位及び近位脚部はプラスチックのような弾性材料から作製され、その一方で、回転を抑制するブッシング又はツメである、ＡＲＭクリップ部材及び／又はＴＡＭクリップ部材は、硬く非弾性の材料（例えば鋼）から作製され得る。
したがって、個々の異なった要件を満たすように知的に材料を選択することによって、本発明のシステム実施例のクリップは、従来は、相反する目的と考えられたものにおいて最適化できる。
【００４７】
ＡＲＭクリップ部材／ＴＡＭクリップ部材を組み込む複合構造体を使用する他の利点は、適切に固定される面を提供する能力である。
ある場合では、ＡＲＭクリップ部材／ＴＡＭクリップ部材に近接するワークが、実行可能又は所望の固定面として機能するには、充分な性質を欠いているかもしれない（例えば、破損閾値が低い複合パネル）。部品のクリップＡＲＭ／ＴＡＭは、必ず全てのクリップが同じ材料又は同様の材料から製造される必要はないので、この欠如に対処することができる。
クリップはプラスチックから製造され、その一方で、ＡＲＭクリップ部材／ＴＡＭクリップ部材は鋼から製造され、及び／又は、コレット本体部の突起部後端面の局所的な負荷を、ワークに対する幅広い接触領域に分散するために「座金」効果を有することができる。
【００４８】
図２９―３１は固定システムの第２実施例であり、当該固定システムは、第１のシステム実施例で示すコレット本体部と、クリップと、ネジとを備え、そして、上方パネルと土台とを一緒に押さえ込むために、上部パネル又は近位パネルにより規定されるボアに配置されるスリーブインサートを更に備える。
図２９―３１において、図２９は上部分解斜視図であり、図３０は強調した下部透視図であり、図３１は、図２７に示されるシステムの下部斜視図である。この図では、固定（係合状態）前に、コレット本体部及び図２９のスタッドの組合せが構造体及びクリップに嵌入される。図３２は、係合されているが固定されていない状態の、図２９―３１に示される固定システムの第２実施例の断面図である。図３３は、図３２に示されるシステムの横断面の立面図であるが、９０度を回転させたものである。図３４は、完全に固定された状態の図２９―３１に示される固定システムの第２実施例の断面図である。図３５は、図３４のシステムの横断面の立面図であるが、９０度を回転させたものである。
【００４９】
図２９―３５に示される固定システムは、第２実施例が上方パネルにより規定されるボアに配置されるスリーブインサート４２０を更に備えることを除いては、図２４―２８に示す固定システムの第１実施例と基本的に同様である。
例えば上部又は近位のパネル４０２が、ネジ４１０に対してあまりに大きいボアを有するときに、スリーブインサート４２０を状況により用いることができる。
スリーブインサート４２０は、円筒壁４２６及びフランジ４２４を備え、そして、スリーブインサート４２０が確実に取り付けられるように、フランジ４２４は、上部又は近位のパネル４０２に接着され得る。ねじ頭が近位パネル４０２と同じ高さとなるように、スリーブインサート４２０も傾斜する開口部４２２を有する。
【００５０】
部品のクリップＡＲＭ／ＴＡＭを組み込む複合付属構造物を使用する、さらに別の利点は、部品のクリップＡＲＭ／ＴＡＭが限られた軸方向運動を可能にし、そこからライナ又はブッシングインサートがコレット本体部の第２端部又は近位端部の方へ延在し得ることである。
ライナ又はブッシングインサートは、円筒構造であり、部品のクリップＡＲＭ／ＴＡＭに直接近接するボアの外径未満の外径を有し、そして、その内径は、少なくともコレット本体部の遠位端部／第１端部が並進動作を許容する。
部品のクリップＡＲＭ／ＴＡＭが半径方向突起部の後端面によって軸方向に押圧されて、並進させられるときに、ライナ又はブッシングインサートは、隣接するボアに挿入される（すでにボアの中で中央に置かれる場合、更に挿入される）。そうすることにより、ライナインサートは、コレット本体部とワークとの接触に対するバリアとして作用する。この能力は特に、電解腐食が懸念される箇所、又は、起こりうるせん断運動がワーク及び／又はクリップの間に発生する箇所で、有用である。
さらに、ボアの適当なだぼ接合を考慮に入れながら、例えば、ブッシングインサートはより小さい直径のコレット本体部が使用できるようにする。異なる用途のためのツールの在庫を減らすことが重要であるときに、この能力は特に有用である。（必要なコレット本体部の種類がより少なくなる。正確なだぼ接合は、特定の用途向けクリップで達成され、当該クリップは、ブッシング及び第２部分ＡＲＭ以外は主にプラスチックでもよい）。
【００５１】
図３６―４０は、２点式ＡＲＭの第２部分と、２点式ＴＡＭの第２部分として機能するために、クリップの一部で回転を抑制する、嵌入可能なブッシング５００を備えるクリップ９００の第２実施例である。
具体的には、図３６はクリップの下部斜視図であり、図３７はクリップの上部分解斜視図であり、図３８はクリップの側面図であり、図３９はクリップの底面図であり、図４０はクリップの平面図である。
【００５２】
嵌入可能ブッシング５００は、内側ボア５０６を有するブッシング壁５０２とブッシングフランジ５０４とを備え、ブッシングフランジ５０４は、非円形形状を有し、１つ以上のフランジ分岐を備えることができる。
クリップ９００はまた、「Ｕ」形のクリップであり、近位孔９１２を規定する近位脚部９１０と、近位孔９１２に位置合わせされる遠位孔９２２を規定する遠位脚部９２０と、近位脚部９１０及び遠位脚部９２０を接続する中間の脚部９３０と、を有する。遠位脚部９２０は、遠位孔９２２が貫通する、瘤部９４０を有する。瘤部９４０は、ブッシングフランジ５０４を受容するために、補完的（相補的）な形状の溝９４４を有する。内側ボア５０６の直径は、近位孔９１２及び遠位孔９２２以下である。
【００５３】
いくつかの実施例において、内側ボア５０６は、第１部分のＡＲＭにおけるコレット本体部の軸プロファイルに対して、それぞれのＡＲＭ部が他のＡＲＭ部に相補的に嵌合するように構成された少なくとも１つの軸プロファイルを有する部位を有する。（これはスプラインカラーがスプラインシャフトに相補的に嵌まり合うのと同様である）。
【００５４】
図４１―４４は、コレット本体部と、図３６―４０で示されるクリップの第２実施例と、ネジとを備える固定システムの第３のシステム実施例である。
具体的には、図４１は遠位ワーク４０４に設置されるクリップ９００の下部斜視図であり、図４２は固定システムの第３のシステム実施例の下部斜視図であり、図４３はシステムの横断面の立面図であり、そして、図４４は、図４３に示されるシステム及び状態の横断面の立面図であるが、９０度を回転させたものである。
【００５５】
ネジ４１０及びコレット本体部１００は、近位ワーク４０２、遠位ワーク４０４、クリップ９００、及び嵌入可能ブッシング５００に嵌入される。
ネジ４１０がコレット本体部１００に徐々に係合されると、把持フィンガー１２０を半径方向外向きに押し、そして好ましくは、フィンガーが充分に放射状に広がり、それにより、コレットＡＲＭと嵌入可能ブッシング５００の間で、回転押圧（回転しながら加わる圧力）がかかるようにする。そして、嵌入可能ブッシング５００の回転は、クリップ９００の溝９４４により制限される。
ネジ４１０を更に回転させると、コレット本体部１００は上昇を始め（又はワークの方へ後退を始め）、そして最終的に、後端面１２４と嵌入可能ブッシング５００間での接触と加圧を生じさせ、それにより確実にワーク４０２と４０４とを一緒に固定する。
【００５６】
図４５―５０は、スリーブを備えるクリップの第３実施例であり、プライマリ嵌入可能ブッシング６００は、フランジ付嵌入可能ブッシング５００に配置される。
図４６はクリップの側面図であり、図４７はクリップ下部の単体の正面図であり、図４８は並進させた状態のプライマリ嵌入可能ブッシングを有するクリップの側面図であり、図４９はクリップ下部の単体の正面図であり、そして、図５０はクリップの下部斜視図である。
【００５７】
プライマリ嵌入可能ブッシング６００は、２点式ＡＲＭの第２部分及び２点式ＴＡＭの第２部分として機能する。
プライマリ嵌入可能ブッシング６００は、第１のブッシング壁６０２と、第１のブッシング壁６０２よりわずかに小さい外径を有する第２のブッシユ壁ブッシング６０４とを備え、プライマリ嵌入可能ブッシング６００がフランジ付嵌入可能ブッシング５００の中で保持可能となる。
プライマリ嵌入可能ブッシング６００は内側ボア６０６を有し、そして、第１部分のＡＲＭにおけるコレット本体部の非円形断面に対して、それぞれのＡＲＭ部が他のＡＲＭ部に相補的に嵌合するように構成された非円形断面を有する。（これはスプラインカラーがスプラインシャフトに相補的に嵌まり合うのと同様である）。
いくつかの実施例においては、プライマリ嵌入可能ブッシング６００が、フランジ付嵌入可能ブッシング５００の中で回転しないように、プライマリ嵌入可能ブッシング６００は、接着剤、締り嵌め、溶接、又はろう付けにより、フランジ付嵌入可能ブッシング５００内で確実に保持してもよい。
【００５８】
図５１―５４は、コレット本体部と、図４５―５０で示されるクリップの第３実施例と、ネジとを備える固定システムの第４のシステム実施例である。
具体的には、図５１はシステムの横断面の詳細な立面図であり、図５２は、図５１に示されるシステム及び状態の横断面の詳細な立面図であるが、９０度を回転させたものである。図５３はクリップ実施例の下部斜視図であり、そして、図５４はクリップ実施例の底面図である。
【００５９】
ネジ４１０及びコレット本体部１００は、近位ワーク４０２、遠位ワーク４０４、クリップ９００、プライマリ嵌入可能ブッシング６００、及びフランジ付嵌入可能ブッシング５００に嵌入される。
ネジ４１０がコレット本体部１００に徐々に係合されると、把持フィンガー１２０は半径方向外向きに押され、そして好ましくは、フィンガーが充分に放射状に広がり、それにより、コレットＡＲＭとプライマリ嵌入可能ブッシング６００の間で、回転しながら圧力がかかる（回転押圧が加わる）ようにする。そして、フランジ付嵌入可能ブッシング５００により固定される。フランジ付嵌入可能ブッシング５００の回転は、クリップ９００の溝９４４により制限される。
ネジ４１０が更に回転すると、コレット本体部１００は上昇を始め（又はワークの方へ後退を始め）、そして最終的に、後端面１２４及びプライマリ嵌入可能ブッシング５００間で接触及び押圧し、それにより、確実にワーク４０２と４０４を一緒に固定する。
【００６０】
図５５―５７は、２点式ＡＲＭの第２部分及び２点式ＴＡＭの第２部分として機能するために嵌入可能なプレート７００を備えるクリップの第４の実施例である。
具体的には、図５５は第４のクリップ実施例の下部斜視図であり、図５６はクリップ実施例の上部分解斜視図であり、そして、図５７はクリップ実施例の側面図である。
【００６１】
クリップの第４の実施例は、嵌入可能ブッシング５００の代わりに嵌入可能なプレート７００を使用することを除いて、図３６―４０に示されるクリップの第２実施例と基本的に同様である。
嵌入可能なプレート７００は、ベースプレート７００と、ベースプレートから延在する複数のフランジ７０２とを備える。
嵌入可能なプレート７００の回転がクリップ９００により制限されるよう、フランジ７０２は、クリップ９００の溝９４４を補完する（相補的な）形状をなす。ベースプレート７０２は、第１部分のＡＲＭ（把持フィンガー）におけるコレット本体部の開口部７０６に対して、それぞれのＡＲＭ部が他のＡＲＭ部に相補的に嵌合するように構成された開口部７０６を有する。（これはスプラインカラーがスプラインシャフトに相補的に嵌まり合うのと同様である）。
【００６２】
図５８―６１は、コレット本体部と、図５５―５７で示されるクリップの第４の実施例と、ネジとを備える固定システムの第５のシステム実施例である。
具体的には、図５８はシステム実施例の下部斜視図であり、図５９はシステムの底面図であり、図６０はシステムの横断面の立面図であり、そして、図６１は、図６０に示されるシステム及び状態の横断面の立面図であるが、９０度を回転させたものである。
【００６３】
ネジ４１０及びコレット本体部１００は、近位ワーク４０２、遠位ワーク４０４、クリップ９００、及び嵌入可能なプレート７００に嵌入される。
ネジ４１０がコレット本体部１００に徐々に係合されると、把持フィンガー１２０を半径方向外向きに押され、そして好ましくは、フィンガーが充分に放射状に広がり、それにより、コレット本体部の把持フィンガーと嵌入可能なプレート７００間で、回転押圧（回転しながら加わる圧力）がかかるようにする。そして、嵌入可能なプレート７００は、クリップ９００の溝９４４により固定される。
ネジ４１０が更に回転すると、コレット本体部１００は上昇を始め（又はワークの方へ後退を始め）、そして最終的に、後端面１２４と嵌入可能なプレート７００間での接触及び加圧を生じさせる。これにより、確実にワーク４０２と４０４を一緒に固定する。
【００６４】
図６２―６６は、ネジと、図１―８に示されるコレット本体部と、クリップ８００と、近位ワーク４０２及び遠位ワーク４０４を含む積層構造（破線で示される）を固定するスリーブインサート４２０と、を備える固定システムの第６のシステム実施例である。
具体的には、図６２は第５のシステム実施例の上部分解斜視図であり、図６３はシステムの下部斜視図であり、図６４はコレット本体部及びクリップの下部平面部の詳細図であり、図６５はシステムの横断面の立面図であり、図６６は、図６５に示されるシステム及び状態の横断面の立面図であるが、９０度を回転させたものである。
【００６５】
クリップ８００は、近位孔８１２を規定する近位脚部８１０と、近位孔８１２に位置合わせされる遠位孔８２２を規定する遠位脚部８２０と、近位脚部８１０と遠位脚部８２０とを接続する中間の脚部８３０と、を有する「Ｕ」形のクリップである。遠位脚部８２０は好ましくは、後端面１２４と均一に接触できるように平面を有する。
いくつかの実施例において、近位脚部８１０及び遠位脚部８２０は、それぞれ近位孔８１２及び遠位孔８２２周囲の補強した構造体を有する。補強は、孔周囲の円周フランジとして行うことができる。
近位孔８１２及び遠位孔８２２のうち少なくとも１つ（好ましくは後者）は、コレット本体部１００の把持フィンガー（ＡＲＭの第２部分）に対して、それぞれのＡＲＭ部が他のＡＲＭ部に相補的に嵌合するように構成されたＡＲＭの第１部分として開口部を有する。（これはスプラインカラーがスプラインシャフトに相補的に嵌まり合うのと同様である）。
スリーブインサート４２０は、円筒壁４２６とフランジ４２４とを備える。そして、スリーブインサート４２０が確実に取り付けられるように、円筒壁４２６とフランジ４２４は、上部又は近位のパネル４０２に接着又は溶接され得る。ねじ頭が近位パネル４０２と同じ高さとなるように、スリーブインサート４２０も傾斜した開口部４２２を有する。
いくつかの実施例において、円筒壁４２６は、近位端部及び遠位端部で、近位ワーク４０２の近位ワークボア４０３に接触する凹状外面を有する。
【００６６】
図６７―６８は、完全に固定された状態の、図６２―６６に示される固定システムの異なる角度の断面図である。
具体的には、図６７は、図５２に示されるシステムの横断面の立面図であるが、固定後のものである。
【００６７】
図６８は、図６７に示されるシステム及び状態の横断面の立面図であるが、９０度を回転させたものである。ネジ４１０及びコレット本体部１００は、スリーブインサート４２０、近位ワーク４０２、遠位ワーク４０４及び、クリップ８００に嵌入される。
ネジ４１０がクリップ８００に徐々に係合されると、把持フィンガー１２０は半径方向外向きに押され、そして好ましくは、フィンガーは充分に放射状に広がり、それにより、コレット本体部の把持フィンガーと遠位脚部８２０の間で、遠位孔８２２の中で回転しながら圧力がかかる（回転押圧が加わる）ようになる。
ネジ４１０が更に回転すると、コレット本体部１００は上昇を始め（又はワークの方へ後退を始め）、そして最終的に、把持フィンガー１２０の後端面１２４と遠位脚部８２０間での接触及び押圧を生じさせる。それにより、確実に、ワーク４０２と４０４を一緒に固定する。
【００６８】
図６９―７２は、ネジ４１０と、図１―８で示されるコレット本体部１００と、近位ワーク４０２及び遠位ワーク４０４を含む積層構造（破線で示される）を固定するスリーブインサート１０００を備える固定システムの第７のシステム実施例である。
具体的には、図６９は上方断面分解斜視図であり、図７０はスリーブインサートの上面図であり、図７１はスリーブインサートの上の斜視図であり、そして、図７２はスリーブインサートの底面図である。
【００６９】
固定システムの第７のシステム実施例においては、クリップはもはや使用されない。従ってシステムは、より少ない部品により単純化される
スリーブインサート１０００は、スリーブインサート１０００がＡＲＭの第２部分１０５０も組み込む以外は、図に示すようにスリーブインサート４２０と類似している。
スリーブインサート４２０の様に、スリーブインサート１０００は、円筒壁１０１０及びフランジ１０２０を備える。そして、スリーブインサート１０００が確実に取り付けられるように、円筒壁１０１０及びフランジ１０２０は、上部又は近位のパネル４０２に接着され得る。
スリーブインサート９００はまた、近位開口部１０４０と、遠位開口部１０４２と、近位開口部１０４０と遠位開口部１０４２間に規定されるボア１０３０とを有する。ねじ頭４２０が平面で近位パネル４１２と同じ高さとなるように、近位開口部１０４０は傾斜した開口部である。
スリーブインサート１０００は、ＡＭＲの第２部分として機能するために、遠位開口部１０４２で、ボア内に配置される突起部１０５０を有する。その結果、遠位開口部１０４２は、固定処理の際間、コレット本体部の回転を抑制するために把持フィンガー１２０を補完する放射形状を有する。
【００７０】
図７３―７５は、コレット本体部及びネジの組合せが嵌入される初期と、完全に嵌入された時の、図６９―７２に示されるシステムの断面図である。
具体的には、図７３は、コレット本体部及びネジが嵌入される初期での、図６９―７２に示されるシステムの横断面の立面図である。図７４は、コレット本体部及びネジが完全に嵌入されたときの、システムの横断面の立面図である。図７５は、コレット本体部及びネジが完全に嵌入された図７４のシステムの横断面の立面図であるが、９０度を回転させたものである。図７６は、完全に嵌入させた後、固定する初期状態の図６９―７２に示されるシステムの断面図である。図７７は、完全に固定された状態の図６７―６８に示されるシステムの横断面である。
ネジ４１０及びコレット本体部１００は、スリーブインサート１０００、近位ワーク４０２、及び遠位ワーク４０４に嵌入される。
ネジ４１０がスリーブインサート１０００に徐々に係合すると、把持フィンガー１２０を半径方向外向きに押圧し、そして好ましくは、フィンガーが充分に放射状に広げ、それにより、コレット本体部の把持フィンガーと突起部９５０の間で、ボア１０３０内で回転押圧（回転しながら加わる圧力）がかかるようにする。
ネジ４１０が更に回転すると、コレット本体部１００は上昇を始め（又はワークの方へ後退を始める）、そして最終的に、把持フィンガー１２０の後端面１２４と遠位ワーク４０４間での接触及び加圧を生じさせる。これにより、確実に、ワーク４０２と４０４を一緒に固定する。
【００７１】
記載されるクリップが開示されるシステムの一部として使用されることを目的とする一方で、本発明のコレット本体部の実施例の使用に頼らずに有用性を認めることができる点に留意する必要がある。
【００７２】
当業者は、兼用ラッチは様々な構成により作製することができると理解する。例えば、兼用ラッチは、上述した具体例で開示される以外の、別の部品の異なる組合せで備えることができる。
当業者は、兼用ラッチが異なる部品を更に組み込むことができるとも理解する。前述された本発明は、明快さ及び理解のために記載された。様々な変更態様は、添付の請求の範囲の範囲及び同等物内で行うことができる。
【図１】
2019510176.tif 000003
【図２】
2019510176.tif 000004
【図３】
2019510176.tif 000005
【図４】
2019510176.tif 000006
【図５】
2019510176.tif 000007
【図６】
2019510176.tif 000008
【図７】
2019510176.tif 000009
【図８】
2019510176.tif 000010
【図９】
2019510176.tif 000011
【図１０】
2019510176.tif 000012
【図１１】
2019510176.tif 000013
【図１２】
2019510176.tif 000014
【図１３】
2019510176.tif 000015
【図１４】
2019510176.tif 000016
【図１５】
2019510176.tif 000017
【図１６】
2019510176.tif 000018
【図１７】
2019510176.tif 000019
【図１８】
2019510176.tif 000020
【図１９】
2019510176.tif 000021
【図２０】
2019510176.tif 000022
【図２１】
2019510176.tif 000023
【図２２】
2019510176.tif 000024
【図２３】
2019510176.tif 000025
【図２４】
2019510176.tif 000026
【図２５】
2019510176.tif 000027
【図２６】
2019510176.tif 000028
【図２７】
2019510176.tif 000029
【図２８】
2019510176.tif 000030
【図２９】
2019510176.tif 000031
【図３０】
2019510176.tif 000032
【図３１】
2019510176.tif 000033
【図３２】
2019510176.tif 000034
【図３３】
2019510176.tif 000035
【図３４】
2019510176.tif 000036
【図３５】
2019510176.tif 000037
【図３６】
2019510176.tif 000038
【図３７】
2019510176.tif 000039
【図３８】
2019510176.tif 000040
【図３９】
2019510176.tif 000041
【図４０】
2019510176.tif 000042
【図４１】
2019510176.tif 000043
【図４２】
2019510176.tif 000044
【図４３】
2019510176.tif 000045
【図４４】
2019510176.tif 000046
【図４５】
2019510176.tif 000047
【図４６】
2019510176.tif 000048
【図４７】
2019510176.tif 000049
【図４８】
2019510176.tif 000050
【図４９】
2019510176.tif 000051
【図５０】
2019510176.tif 000052
【図５１】
2019510176.tif 000053
【図５２】
2019510176.tif 000054
【図５３】
2019510176.tif 000055
【図５４】
2019510176.tif 000056
【図５５】
2019510176.tif 000057
【図５６】
2019510176.tif 000058
【図５７】
2019510176.tif 000059
【図５８】
2019510176.tif 000060
【図５９】
2019510176.tif 000061
【図６０】
2019510176.tif 000062
【図６１】
2019510176.tif 000063
【図６２】
2019510176.tif 000064
【図６３】
2019510176.tif 000065
【図６４】
2019510176.tif 000066
【図６５】
2019510176.tif 000067
【図６６】
2019510176.tif 000068
【図６７】
2019510176.tif 000069
【図６８】
2019510176.tif 000070
【図６９】
2019510176.tif 000071
【図７０】
2019510176.tif 000072
【図７１】
2019510176.tif 000073
【図７２】
2019510176.tif 000074
【図７３】
2019510176.tif 000075
【図７４】
2019510176.tif 000076
【図７５】
2019510176.tif 000077
【図７６】
2019510176.tif 000078
【図７７】
2019510176.tif 000079
【国際調査報告】
2019510176.tif 000080
2019510176.tif 000081
2019510176.tif 000082